(57)【要約】      （修正有）【課題】取出用のスリットを設けた合成樹脂シートを廃止し、ティッシュペーパーの引き出しを円滑に行うことができ、ティッシュペーパーの立ち上がり状態を安定良く維持し、且つ塵等の侵入を抑えられるようにしたティッシュペーパー用箱を提供する。【解決手段】箱本体１の上面板１ａに第１のフラップ２と、第２のフラップ３とを隣接させて対設することにより非直線状のスリットＳを形成する。第１のフラップ２は、基端側縁部２ａが上面板１ａの側縁と平行な直線状に形成されると共に、対向側縁部２ｂがカット線により略凸円弧状に形成され、第２のフラップ３は、基端側縁部３ａが上面板１ａの側縁と平行な直線状に形成されると共に、対向側縁部３ｂが第１のフラップ２における略凸円弧状対向側縁部に沿った略凹円弧状の曲線部３ｂ(A)と、この曲線部３ｂ(A)の両側に位置する直線部３ｂ(B)がカット線により形成される。【選択図】  図２
2006016069.tif 000002
【特許請求の範囲】
【請求項１】
直方体又は立方体に形成された箱本体の内部に多数のティッシュペーパーが重層状態に収納され、各ティッシュペーパーは端部同士が折り返しにより係合され、前記箱本体の上面板に設けられた取出用のスリットから前記ティッシュペーパーを断続的に順次引き出すように構成されたティッシュペーパー用箱であって、前記取出用のスリットが非直線状のスリットであることを特徴とするティッシュペーパー用箱。
【請求項２】
前記非直線状のスリットは、上面板のほぼ中央部に形成される略円弧状の曲線部と、この曲線部の両端からほぼ上面板の角隅部に向かってそれぞれ所定の長さに形成される直線部とから構成されていることを特徴とする請求項１に記載のティッシュペーパー用箱。
【請求項３】
前記箱本体の上面板には第１のフラップと第２のフラップとが隣接して対向状態に形成され、前記第１のフラップと第２のフラップとは、共に基端側縁部が前記上面板に弾性的に接続され、隣接する対向側縁部がカット線を介して切り開かれることにより前記非直線状のスリットが形成されることを特徴とする請求項２に記載のティッシュペーパー用箱。
【請求項４】
前記第１のフラップは、前記基端側縁部が前記上面板の側縁と平行な直線状に形成されると共に、対向側縁部がカット線により略凸円弧状に形成され、その端部は前記基端側縁部の端部にそれぞれ接続し、前記第２のフラップは、前記基端側縁部が前記上面板の側縁と平行な直線状に形成されると共に、対向側縁部が前記第１のフラップにおける略凸円弧状対向側縁部に沿った略凹円弧状の曲線部と、この曲線部の両端側に位置する直線部がカット線により形成され、この直線部の端部は前記基端側縁部の端部にそれぞれ接続し、且つ曲線部と直線部との接続箇所にそれぞれ丸み部が設けられていることを特徴とする請求項３に記載のティッシュペーパー用箱。
【請求項５】
前記第１のフラップにおける基端側縁部の長さＡは、前記上面板の側縁長さＧに対して０．９Ｇ＞Ａ＞０．５Ｇであって、前記略凸円弧状対向側縁部の前記基端側縁部から頂部までの高さＥは、前記上面板の端縁長さＨに対して０．８Ｈ＞Ｅ＞０．２Ｈであり、前記第２のフラップにおける基端側縁部の長さＤは、前記上面板の側縁長さＧに対して０．９Ｇ＞Ｄ＞０．５Ｇであって、前記略凹円弧状対向側縁部の前記基端側縁部から前記丸み部までの高さＦは前記上面板の端縁長さＨに対して０．８Ｈ＞Ｆ＞０．２Ｈであることを特徴とする請求項４に記載のティッシュペーパー用箱。
【請求項６】
前記第１のフラップと第２のフラップとが円弧状に隣接する領域のほぼ中央部に、指を引掛けるための略半円状の開け口が第１のフラップ側に接続させてカット線を介して設けられていることを特徴とする請求項４又は請求項５に記載のティッシュペーパー用箱。
【発明の詳細な説明】
【技術分野】
【０００１】
本発明は、箱の上面板から突出しているティッシュペーパーの端部を持って引き上げると、そのティッシュペーパーを引き出せると共に、次のティッシュペーパーの端部が上面板から突出し、箱の内部に収納されている多数のティッシュペーパーを断続的に順次引き出せるようにしたティッシュペーパー用箱に関する。
【背景技術】
【０００２】
従来の代表的なティッシュペーパー用箱は、図３に示すように紙製の直方体の箱であって、この箱本体ａの上面板ｂの中央部にはカット線によって囲まれた切取部が設けられ、この切取部をカット線に沿って切除すると開口部ｃとなり、この開口部ｃは上面板ｂの裏面側に貼着されているフィルム状の合成樹脂シートｄにより閉塞され、この合成樹脂シートｄの中央部には箱本体ａの長手方向に直線状のスリットｅが設けられており、このスリットｅを通して内部に収納されているティッシュペーパーｆを断続的に順次引き出せるようにしてある。
【０００３】
収納されているティッシュペーパーを使い切った後は、ごみとして焼却処分し、又は空箱をつぶして偏平にし、資源ごみとして廃棄するのが一般的である。そして、資源ごみとして集められた空箱は再生紙用原料として使用される。しかしながら、空箱には前記フィルム状の合成樹脂シートｄが貼着されているため、資源ごみとして廃棄する前又は資源ごみとして集積した後に、合成樹脂シートｄを剥がさなければならない。このため、合成樹脂シートｄを剥がす作業が厄介であると共に、紙再生時の作業性を低下させる問題があった。
【０００４】
このような問題を解決するために、例えばスリット付きの合成樹脂シートを廃止し、ティッシュペーパー取出口の両端縁にスリットを形成し、このスリットにティッシュペーパーの両側縁を挟んで引き出し、その引き出しにつれて次のティッシュペーパーもスリットに挟み込んで立ち上がり状態を維持するようにし、且つスリットの両側に略ハ字形に屈曲用スリットを設けて、その内側の位置する屈曲片がティッシュペーパーの引き出し時に上方に持ち上がってティッシュペーパーの引き出しを容易にしたティッシュペーパー用箱が特許文献１に記載されている。
【特許文献１】特開平９−３０５７３号公報
【発明の開示】
【発明が解決しようとする課題】
【０００５】
上記のような合成樹脂シートを廃止したティッシュペーパー用箱によると、使用後に再生紙用原料として利用する場合において合成樹脂シートを剥がす手間は省ける。しかしながら、ティッシュペーパー用箱としての使用時においては、ティッシュペーパーの両側端部が前記取出口の両端縁に形成されているスリットに挟まれて支持されているだけであるから、ティッシュペーパーを引き出す際にスリットから外れ易い問題がある。ティッシュペーパーが片方のスリットから外れると、引き出し操作が円滑にできなくなり、ティッシュペーパーが捩れたり或は破れたりすることがあり、又それに続くティッシュペーパーが両側のスリットに挟み込まれないで立ち上がり状態が不安定になったり、或は両側ともスリットから外れて箱の内部に落下する等の不具合が生じ易い。更に、取出口が上面板に露出しているため、取出口の大きさを必要最小限に設定しても塵等が箱の内部に侵入し、収納されているティッシュペーパーを汚染する問題もあった。
【０００６】
本発明は、このような従来のティッシュペーパー用箱の問題を解決するために成されたものであり、合成樹脂シートを廃止したティッシュペーパー用箱であって、ティッシュペーパーが捩れたり破れたりすることなく引き出しを円滑に行うことができ、それに続くティッシュペーパーの立ち上がり状態を安定良く維持することができ、且つ塵等の侵入を抑えられるようにしたティッシュペーパー用箱を提供することを目的とする。
【課題を解決するための手段】
【０００７】
上記の目的を達成するための手段として、本発明の請求項１は、直方体又は立方体に形成された箱本体の内部に多数のティッシュペーパーが重層状態に収納され、各ティッシュペーパーは端部同士が折り返しにより係合され、前記箱本体の上面板に設けられた取出用のスリットから前記ティッシュペーパーを断続的に順次引き出すように構成されたティッシュペーパー用箱であって、前記取出用のスリットが非直線状のスリットであることを特徴とする。
【０００８】
本発明の請求項２は、請求項１に記載のティッシュペーパー用箱において、前記非直線状のスリットは、上面板のほぼ中央部に形成される略円弧状の曲線部と、この曲線部の両端からほぼ上面板の角隅部に向かってそれぞれ所定の長さに形成される直線部とから構成されていることを特徴とする。
【０００９】
本発明の請求項３は、請求項２に記載のティッシュペーパー用箱において、前記箱本体の上面板には第１のフラップと第２のフラップとが隣接して対向状態に形成され、前記第１のフラップと第２のフラップとは、共に基端側縁部が前記上面板に弾性的に接続され、隣接する対向側縁部がカット線を介して切り開かれることにより前記非直線状のスリットが形成されることを特徴とする。
【００１０】
本発明の請求項４は、請求項３に記載のティッシュペーパー用箱において、前記第１のフラップは、前記基端側縁部が前記上面板の側縁と平行な直線状に形成されると共に、対向側縁部がカット線により略凸円弧状に形成され、その端部は前記基端側縁部の端部にそれぞれ接続し、前記第２のフラップは、前記基端側縁部が前記上面板の側縁と平行な直線状に形成されると共に、対向側縁部が前記第１のフラップにおける略凸円弧状対向側縁部に沿った略凹円弧状の曲線部と、この曲線部の両端側に位置する直線部がカット線により形成され、この直線部の端部は前記基端側縁部の端部にそれぞれ接続し、且つ曲線部と直線部との接続箇所にそれぞれ丸み部が設けられていることを特徴とする。
【００１１】
本発明の請求項５は、請求項４に記載のティッシュペーパー用箱において、前記第１のフラップにおける基端側縁部の長さＡは、前記上面板の側縁長さＧに対して０．９Ｇ＞Ａ＞０．５Ｇであって、前記略凸円弧状対向側縁部の前記基端側縁部から頂部までの高さＥは、前記上面板の端縁長さＨに対して０．８Ｈ＞Ｅ＞０．２Ｈであり、前記第２のフラップにおける基端側縁部の長さＤは、前記上面板の側縁長さＧに対して０．９Ｇ＞Ｄ＞０．５Ｇであって、前記略凹円弧状対向側縁部の前記基端側縁部から前記丸み部までの高さＦは前記上面板の端縁長さＨに対して０．８Ｈ＞Ｆ＞０．２Ｈであることを特徴とする。
【００１２】
本発明の請求項６は、請求項４又は請求項５に記載のティッシュペーパー用箱において、前記第１のフラップと第２のフラップとが円弧状に隣接する領域のほぼ中央部に、指を引掛けるための略半円状の開け口が第１のフラップ側に接続させてカット線を介して設けられていることを特徴とする。
【発明の効果】
【００１３】
上記請求項１の発明によれば、ティッシュペーパー用箱における取出用のスリットが非直線状のスリットであるため、直線状のスリットに比してティッシュペーパーの立ち上がり状態を安定良く維持することができる。これにより、従来使用されていた合成樹脂シートが不要になり、使用後に再生紙用原料として利用する時に合成樹脂シートを剥がす手間が省ける。又、箱製作時の工程削減が図れると共にコストダウンが可能となる。更に、非直線状のスリットは、立ち上がり状態で維持されているティッシュペーパーにより塞がれるため、箱の内部に塵等が侵入するのを抑えることができる。
【００１４】
上記請求項２の発明によれば、非直線状のスリットは、上面板のほぼ中央部に形成される略円弧状の曲線部と、その両側にほぼ上面板の角隅部に向かって所定の長さに形成される直線部とから構成されているため、ティッシュペーパーを引き出す際に大きな抵抗力が加わらず、ティッシュペーパーの破れを防ぐことができる。又、箱本体内に収納されている柔らかいティッシュペーパーを円滑に引き出せると共に、それに続くティッシュペーの立ち上がり状態を安定良く維持することができる。
【００１５】
上記請求項３の発明によれば、箱本体の上面板には第１のフラップと第２のフラップとが隣接して対向状態に形成され、これらは基端側縁部が上面板に弾性的に支持され、対向側縁部がカット線を介して切り開かれることにより非直線状のスリットが形成されるため、開封時に非直線状のスリットを容易に形成することができる。又、使用時においては、第１のフラップと第２のフラップとが基端側側縁部を境として上下方向に弾性的に動くため、ティッシュペーパーの引き出しが容易に行えると共に、それに続くティッシュペーパーの立ち上がり状態での保持力を得ることができる。
【００１６】
上記請求項４の発明によれば、第１のフラップと第２のフラップとの基端側縁部が共に上面板の側縁と平行な直線状に形成されているため、比較的長い寸法を確保することで第１のフラップと第２のフラップとの弾性力を向上させることができる。又、第１のフラップと第２のフラップとの対向側縁部は、カット線により略凹凸円弧状に抱き合わせて形成されているため、カット線を切り開くと略円弧状の曲線部と、この曲線部の両端側に位置する直線部とからなる非直線状のスリットを簡単に形成することができる。更に、曲線部と直線部との接続箇所にはそれぞれ丸み部が設けられているため、ティッシュペーパーを引き出す際に曲線部と直線部との接続箇所での抵抗力を弱めることができ、ティッシュペーパーが捩れたり破れたりすることはない。
【００１７】
上記請求項５の発明によれば、第１のフラップ及び第２のフラップの大きさを前記のようにそれぞれ適性範囲のサイズに設定することにより、好ましい形態の非直線状のスリットを形成し、且つ各フラップに適切な弾性力を付与することができる。これにより、ティッシュペーパーを引き出し易くし、それに続くティッシュペーパーの立ち上がり状態を確実に維持し、且つ塵等の侵入を抑えられるという効果を挙げることができる。
【００１８】
上記請求項６の発明によれば、第１のフラップと第２のフラップとが凹凸円弧状に隣接する領域のほぼ中央部に、指を引掛けるための略半円状の開け口を第１のフラップ側に接続させてカット線を介して設けてあるため、開封時に先ずこの開け口を切り開き、引き続きカット線に沿って切り開くことによって非直線状のスリットを容易に形成することができる。
【発明を実施するための最良の形態】
【００１９】
次に、本発明に係るティッシュペーパー用箱の一実施形態を添付図面に基づいて説明する。図１は、本発明に係るティッシュペーパー用箱の実施形態を示す平面図である。図２は、本発明に係るティッシュペーパー用箱の使用状態を示す斜視図である。
【００２０】
図１において、１は比較的厚い紙によって直方体（場合によっては立方体）に形成された箱本体であり、公知の方法により裁断し、所定の箇所に押し罫及びカット線を設けて原型パターンを形成し、この原型パターンを機械的に折り曲げ、所要の箇所を糊付けすることにより工場生産される。この箱本体１の生産工程については説明を省略する。又、箱本体１内には、通常２００組のティッシュペーパーが重層状態に収納され、１組のティッシュペーパーは２枚重ねのものであり、且つ各組の端部を折り曲げて相互に係合させることにより、ポップアップ式に断続的に引き出せるようにしてある。
【００２１】
上記箱本体１の上面板１ａには、第１のフラップ２と第２のフラップ３とが隣接して対向状態に形成されている。第１のフラップ２は、上面から見て基端側縁部２ａが上面板１ａの一方の側縁と平行な直線状に形成されると共に、対向側縁部２ｂが略凸円弧状に形成され、基端側縁部２ａは前記原型パターンを形成する際に押し罫が施され、対向側縁部２ｂはカット線が施されている。
【００２２】
第２のフラップ３は、上面から見て基端側縁部３ａが上面板１ａの他方の側縁と平行な直線状に形成されると共に、対向側縁部３ｂが第１のフラップ２における略凸円弧状対向側縁部２ｂに沿った略凹円弧状の曲線部３ｂ(A)と、この曲線部３ｂ(A)の両端からほぼ上面板１ａの角隅部に向かってそれぞれ所定の長さに形成される直線部３ｂ(B)とから構成されており、基端側縁部３ａは前記原型パターンを形成する際に押し罫が施され、対向側縁部３ｂはカット線が施されている。この場合、第２のフラップ３における曲線部３ｂ(A)のカット線は、第１のフラップ２における対向側端部２ｂのカット線と抱き合わせ状態で共通になっている。又、第２のフラップ３における曲線部３ｂ(A)と、この両側に位置する直線部３ｂ(B)との接続箇所にはそれぞれ丸み部３ｃが設けられている。
【００２３】
４は指を引掛けるための略半円状の開け口であり、前記第１のフラップ２と第２のフラップ３とが円弧状に隣接する領域のほぼ中央部にカット線を介して設けられている。この場合、開け口４の基端側縁部４ａはカット線は設けられずに押し罫が形成されて第１のフラップ２側に接続している。従って、前記第２のフラップ３における対向側縁部３ａのカット線は開け口４の基端側縁部４ａの部分で遮断されるが、開け口４における略半円状のカット線を介して全体が連続することになる。
【００２４】
本発明に係るティッシュペーパー用箱の実施形態は上記のように構成され、箱本体１を開封するには前記開け口４に指を引掛けて略半円状のカット線を切り開き、このカット線に続く第１のフラップ２の対向側縁部２ｂに設けられているカット線を切り開くと共に、第２のフラップ３における対向側縁部３ｂの丸み部３ｃ及び両側の直線部３ｂ(B)に設けられているカット線を切り開く。尚、第２のフラップ３の曲線部３ｂ(A)は、第１のフラップ２における対向側縁部２ｂの切り開きと同時に切り開かれることになる。
【００２５】
箱本体１を開封した後、第１のフラップ２を若干開いて手指を差し込み、箱本体１内に収納されている一番上のティッシュペーパーの端部をつまみ出すと、このティッシュペーパーの端部は前記第２のフラップ３の対向側縁部３ｂに沿って立ち上がり状態にすることができる。この立ち上がり状態にすることでティッシュペーパーの使用開始段階となる。即ち、図２に示すように箱本体１の上面板１ａにおいて、第２のフラップ３の曲線部３ｂ(A)と直線部３ｂ(B)とで非直線状のスリットＳが形成される。
【００２６】
ティッシュペーパー用箱の使用時において、スリットＳから立ち上がり状態で突出しているティッシュペーパーＰの端部を掴んで真上に引き上げると、１組のティッシュペーパーＰを引き出すことができる。この時、ティッシュペーパーＰの上方移動に伴って、第１のフラップ２は押し罫の設けられている基端側縁部２ａを支持部として開くと同時に、第２のフラップ３も押し罫の設けられている基端側縁部３ａを支持部として開く。これにより、ティッシュペーパーＰの引き出し抵抗力を弱めることができ、ティッシュペーパーＰの引き出しを軽く行うことができる。又、ティッシュペーパーＰはスリットＳに挟まった状態で引き出されるが、前記開け口４は略半円形であり、第２のフラップ３の曲線部３Ｂ(A)と直線部３ｂ(B)との接続箇所には丸み部３ｃがそれぞれ設けられているため、ティッシュペーパーＰとの接触でティッシュペーパーＰが捩れたり、破れたりすることはない。
【００２７】
ティッシュペーパーＰを完全に引き出すと、引き出し抵抗力が失われて第１のフラップ２は押し罫の設けられている基端側縁部２ａを支持部として弾性により閉じると同時に、第２のフラップ３も押し罫の設けられている基端側縁部３ａを支持部として弾性により閉じる。これにより、引き出されたティッシュペーパーＰに続くティッシュペーパーの突出端部が、スリットＳ内に挟み付けられて停止し立ち上がり状態となる。この時、図２に示すようにティッシュペーパーの突出端部は、非直線状のスリットＳに沿って全体が屈曲状態に起立し、開け口４とその両側に位置する丸み部３ｃとの計３箇所で押圧しているためティッシュペーパーの立ち上がり状態を安定良く維持することができる。開け口４がティッシュペーパーを押す方向と、その両側に位置する丸み部３ｃがティッシュペーパーを押す方向とは、平面内において相反方向であるため力のバランスがほぼ均衡している。
【００２８】
ティッシュペーパーの立ち上がり状態においては、スリットＳはティッシュペーパーを挟み込んで閉じており、開け口４はティッシュペーパーを押して第２のフラップ３との間に挟み込み、開け口４の抜けた第２のフラップ３側の空所を塞いでいる。又、第１のフラップ２も閉じているため、対向側縁部２ｂの両裾部と上面板１ａとの間には殆ど隙間が生じていない。又、第２のフラップ３における直線部３ｂ(B)の両裾部と上面板１ａとの間にも殆ど隙間が生じていない。これにより、上面板１ａには殆ど隙間がないため、ティッシュペーパーの立ち上がり状態で塵等が箱本体１内に侵入するのを抑えることができる。
【００２９】
ティッシュペーパーは断続的に引き出され、その都度第１のフラップ２と第２のフラップ３とは押し罫の設けられた基端側縁部２ａ、３ａを支持部として弾性作用による開閉動作が繰り返される。このような開閉動作の繰り返しによって、第１のフラップ２と第２のフラップ３とは弾性作用が次第に劣化してヘタリが生じる。ヘタリが生じると引き出したティッシュペーパーに続くティッシュペーパーの突出端部を立ち上がり状態に保つ保持力が低下して箱本体１内に落下することがあり、このような事態に陥ると継続使用にとって支障を来たすことになる。箱本体１内に収納されているティッシュペーパーを全部使い切るまで、第１のフラップ２と第２のフラップ３との弾性力が持続することが望ましい。
【００３０】
第１のフラップ２と第２のフラップ３との弾性力は、主としてそれらの大きさが関係するので、スリットＳから引き出されるティッシュペーパーＰの横幅を考慮した上、第１のフラップ２と第２のフラップ３とのサイズを幾通りか変えて試験を行ない、収納されているティッシュペーパーが落下させずに最後まで使い切れるかどうかを試験し、併せて引き出し時にティッシュペーパーに破れが生じないかを観察した。
【００３１】
上記の試験において、図１に示すように第１のフラップ２における基端側縁部２ａの長さをＡとし、略凸円弧状対向側縁部２ｂの前記基端側縁部２ａから頂部までの高さをＥとし、第２のフラップ３における基端側縁部３ａの長さをＤとし、略凹円弧状対向側縁部３ｂの前記基端側縁部３ａから前記丸み部３ｃまでの高さをＦとした。そして、箱本体１の上面板１ａにおける側縁の長さをＧ、端縁の長さをＨとした。
【００３２】
上記Ａ、Ｅ、Ｄ、Ｆのサイズを変えて実施例１〜実施例９までのサンプルを製作し、比較例として前記図３に示す代表的な製品を用いて引き出し試験を実施した。その試験結果を下記表１に示す。
【００３３】
【表１】
2006016069.tif 000003
【００３４】
表１の試験結果によると、実施例１、実施例２、実施例４、実施例５、実施例７、実施例８はいずれもティッシュペーパーを最後まで引き出すことができ、引き出し時に全く破れが生じなかった。実施例３、実施例６、実施例９では、いずれもティッシュペーパーが途中で落下して最後まで引き出すことができず、引き出し時に破れが生じたことがあった。比較例では、ティッシュペーパーを最後まで引き出すことができ、引き出し時に全く破れが生じなかった。
【００３５】
この試験結果からして、第１のフラップ２はＡが０．６Ｇ≦Ａ≦０．８Ｇの範囲において、Ｅが０．３Ｈ≦Ｅ≦０．６Ｈであるならば良好であり、Ｅが０．８Ｈ以上であると不可となる。即ち、略凸円弧状対向側縁部２ｂの高さＥが高すぎるとよくないことが分かった。第１のフラップ２と対向する第２のフラップ３もＤが０．６Ｇ≦Ｄ≦０．８Ｇの範囲において、Ｆが０．３Ｈ≦Ｆ≦０．６Ｈであるならば良好であり、Ｆが０．８Ｈ以上であると不可となる。これにより、前記スリットＳの曲線部３ｂ(A)の湾曲度合いが大き過ぎると、ティッシュペーパーＰの引き出し抵抗が大きくなり、第１のフラップ２と第２のフラップ３のヘタリが早期に生じて途中で落下し、ティッシュペーパーの破れも生じ易くなると考えられる。
【００３６】
以上のことから、Ａは０．９Ｇ＞Ａ＞０．５Ｇであって、Ｅは０．８Ｈ＞Ｅ＞０．２Ｈの範囲内であることが好ましい。これに対応して、Ｄも０．９Ｇ＞Ｄ＞０．５Ｇであって、Ｆは０．８Ｈ＞Ｆ＞０．２Ｈの範囲内であることが好ましいことが判明した。
【産業上の利用可能性】
【００３７】
本発明は、ティッシュペーパー用箱に好適に利用することができる。本発明に係るティッシュペーパー用箱は、合成樹脂シートが用いられていないため、使用後に古紙として利用する紙再生産業に適するものである。
【図面の簡単な説明】
【００３８】
【図１】本発明に係るティッシュペーパー用箱の実施形態を示す平面図である。
【図２】本発明に係るティッシュペーパー用箱の使用状態を示す斜視図である。
【図３】従来の代表的なティッシュペーパー用箱を示す斜視図である。
【符号の説明】
【００３９】
１  箱本体
１ａ  上面板
２  第１のフラップ
２ａ  基端側縁部
２ｂ  対向側縁部
３  第２のフラップ
３ａ  基端側縁部
３ｂ  対向側縁部
３ｂ(A)  曲線部
３ｂ(B)  直線部
３ｃ  丸み部
４  開け口
４ａ  基端側縁部
【図１】
2006016069.tif 000004
【図２】
2006016069.tif 000005
【図３】
2006016069.tif 000006